【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
シート材に予め設定される目打ち位置に、糸を貫通させて残すシート材の糸目打ち装置であって、
糸を供給可能な糸供給機構と、
シート材の目打ち位置に移動可能で、目打ち位置に一旦突刺した後でシート材から引抜き、糸供給機構から供給される糸を先端部から繰出してシート材の目打ち位置に貫通させる糸貫通針と、
シート材の目打ち位置に突刺してから引抜いた糸貫通針の先端部と目打ち位置との間の糸に対し、抜け防止部を形成可能な抜け防止機構と、
抜け防止機構で抜け防止部が形成された糸を、抜け防止部と糸貫通針の先端部との間で切断する切断機構と、
切断機構で切断された糸を、糸貫通針の先端部側で保持する保持機構とを、
含むことを特徴とするシート材の糸目打ち装置。
【請求項２】
前記抜け防止機構は、前記糸に結び目を形成して、前記抜け防止部を形成する、
ことを特徴とする請求項１記載のシート材の糸目打ち装置。
【請求項３】
前記抜け防止機構と前記シート材との間に設けられ、抜け防止機構が前記抜け防止部を形成する際に、糸が前記シート材に貫通している側から供給されるのを阻止するように押える糸押え機構を、さらに含む、
ことを特徴とする請求項１または２記載のシート材の糸目打ち装置。
【請求項４】
前記シート材の目打ち位置に突刺してから引抜いた糸貫通針の先端部と目打ち位置との間の糸に対し、抜け防止部を形成可能な位置へ前記抜け防止機構を進退させる進退機構を、
さらに含むことを特徴とする請求項１記載のシート材の糸目打ち装置。
【請求項５】
裁断機の裁断ヘッドに設けられることを特徴とする請求項１〜４のいずれか一つに記載のシート材の糸目打ち装置。
【請求項６】
前記糸貫通針は、軸線方向に延びる管状で、中空部分に前記糸供給機構から供給される糸を挿通させる軸部を有し、
前記先端部は、
軸部の先端に形成され、
軸線に対して鋭角に切開した形状の正傾斜面と、
正傾斜面の背面側を、先細状となるように、両側方から軸線に対して鋭角に切削した形状の背傾斜面とを有する、
ことを特徴とする請求項１〜５のいずれか一つに記載のシート材の糸目打ち装置。
【請求項７】
シート材に予め設定される目打ち位置に、糸を貫通させて残すシート材の糸目打ち方法であって、
糸を先端部から繰出す糸貫通針を目打ち位置に移動させ、先端部側からシート材の目打ち位置に一旦突刺した後でシート材から引抜き、
目打ち位置から引抜いた糸貫通針の先端部と目打ち位置との間の糸に対し、抜け防止部を形成し、
抜け防止部が形成された糸を、抜け防止部と糸貫通針の先端部との間で切断し、
切断された糸の目打ち位置側を目印用の糸として、シート材の表面に残す、
ことを特徴とするシート材の糸目打ち方法。
【請求項８】
前記シート材を裁断する裁断機では、搬送機能を有する裁断テーブルを有し、裁断テーブルの搬出側にコームが設けられ、
前記目印用の糸が前記シート材の下方で折返されてＵターン部を形成し、目印用の糸の両端がシート材の上方に出る場合に、一端のみに前記抜け防止部を形成する、
ことを特徴とする請求項７記載のシート材の糸目打ち方法。
【請求項９】
裁断テーブル上で、下方から吸引して保持するシート材を、裁断テーブルの表面に沿って移動する裁断ヘッドに設けられる裁断刃で、予め設定される裁断データに従って裁断することを含む動作を行う裁断機で、
裁断ヘッドに、シート材の上方から突刺して、裁断後の後工程での目印用となる糸をシート材の上下に貫通させる糸貫通針を設けておき、
糸貫通針によってシート材に貫通させた目印用の糸で、シート材の上方となる部分に、抜け防止部を形成しておくことを特徴とする、裁断機での目印糸付加方法。
【手続補正２】
【補正対象書類名】明細書
【補正対象項目名】００１２
【補正方法】変更
【補正の内容】
【００１２】
また、前記抜け防止機構は、前記抜け防止部として、前記糸に、少なくとも部分的に径が拡大する加工を施す、
こともできる。
【手続補正３】
【補正対象書類名】明細書
【補正対象項目名】００１３
【補正方法】変更
【補正の内容】
【００１３】
また、前記糸は、樹脂を素材とし、
前記抜け防止機構は、糸を部分的に加熱する加工を施して、前記断面形状を変形させる、
こともできる。
【手続補正４】
【補正対象書類名】明細書
【補正対象項目名】００１４
【補正方法】変更
【補正の内容】
【００１４】
また、前記糸は、樹脂を素材とし、
前記抜け防止機構は、糸を部分的に潰す加工を施して、前記断面形状を変形させる、
こともできる。
【手続補正５】
【補正対象書類名】明細書
【補正対象項目名】００１５
【補正方法】変更
【補正の内容】
【００１５】
また、前記抜け防止機構は、前記糸に、該糸とは異なる素材を付着させる加工を施して、糸に断面積が増大する部分を形成する、
こともできる。
【手続補正６】
【補正対象書類名】明細書
【補正対象項目名】００１６
【補正方法】変更
【補正の内容】
【００１６】
また、前記抜け防止機構は、前記糸に樹脂を付着させる、
こともできる。
【手続補正７】
【補正対象書類名】明細書
【補正対象項目名】００１７
【補正方法】変更
【補正の内容】
【００１７】
また、前記抜け防止機構は、前記糸にシールを付着させる、
こともできる。
【手続補正８】
【補正対象書類名】明細書
【補正対象項目名】００１８
【補正方法】変更
【補正の内容】
【００１８】
また、前記抜け防止機構は、前記抜け防止部を、前記糸を前記シート材の表面に貼付けて形成する、
こともできる。
【手続補正９】
【補正対象書類名】明細書
【補正対象項目名】００２８
【補正方法】変更
【補正の内容】
【００２８】
また、抜け防止部は、糸の径を少なくとも部分的に拡大する加工で形成すれば、糸自体の変形で抜け防止部を形成することができ、抜け防止部は目打ち位置でシート材の下方には抜け難くすることができる。
【手続補正１０】
【補正対象書類名】明細書
【補正対象項目名】００２９
【補正方法】変更
【補正の内容】
【００２９】
また、糸の素材が樹脂であり、抜け防止機構は糸を部分的に加熱すれば、加熱された糸が軟化したり、溶融したりして、断面形状が扁平になり、少なくとも一方向の径が増大し、目打ち位置でシート材の下方には抜けないようにすることができる。
【手続補正１１】
【補正対象書類名】明細書
【補正対象項目名】００３０
【補正方法】変更
【補正の内容】
【００３０】
また、また本発明によれば、糸の素材が樹脂であり、抜け防止機構は糸を部分的に潰して、断面形状で少なくとも一方向には径を増大させ、目打ち位置でシート材の下方には抜けないようにすることができる。
【手続補正１２】
【補正対象書類名】明細書
【補正対象項目名】００３１
【補正方法】変更
【補正の内容】
【００３１】
また、糸に糸とは異なる素材を付着させる加工で抜け防止部を形成すれば、抜け防止部を形成した部分の径は糸の径よりも大きくなり、目打ち位置でシート材の下方には抜けないようにすることができる。糸を直接加工する必要がないので、糸として使用可能な素材の範囲を広くすることができる。
【手続補正１３】
【補正対象書類名】明細書
【補正対象項目名】００３２
【補正方法】変更
【補正の内容】
【００３２】
また、糸に樹脂を付着させれば、抜け防止部を形成することができる。樹脂の付着は、加熱による溶融や溶剤による融解で液状にして行うことができる。
【手続補正１４】
【補正対象書類名】明細書
【補正対象項目名】００３３
【補正方法】変更
【補正の内容】
【００３３】
また、、糸にシールを付着させれば、シールの付着部分が目打ち位置でシート材の下方に抜けないようにすることができる。
【手続補正１５】
【補正対象書類名】明細書
【補正対象項目名】００３４
【補正方法】変更
【補正の内容】
【００３４】
また、、糸をシート材の表面に貼付けて抜け防止部を形成すれば、糸が目打ち位置でシート材の下方に抜けないように止めておくことができる。